(57)【要約】      （修正有）【課題】高温を感知して、接続される電子部材の過電流による損壊を、回路を遮断することにより自動的に回避し、該電子部材を保護する遮断式高温多層型抵抗器を提供する。【解決手段】セラミック棒４５と、セラミック棒の両端に設けられる２つの金属製キャップ４３と、セラミック棒の外周壁における、２つのキャップの間に設けられると共に、夫々異なる融点および抵抗値を有する複数の金属製の被膜４１、４２とを有することを特徴とする。【選択図】図２
0003141883.tif 000002
【実用新案登録請求の範囲】
【請求項１】
セラミック棒と、
前記セラミック棒の両端に設けられる２つの金属製キャップと、
前記セラミック棒の外周壁における、前記２つのキャップの間に設けられると共に、夫々異なる融点および抵抗値を有する複数の金属製の被膜とを有することを特徴とする遮断式高温多層型抵抗器。
【請求項２】
前記複数の被膜が同心円状を呈し、該外層に位置する被膜が内層に位置する被膜を被包すると共に、該外層に位置する被膜が内層に位置する被膜より低融点および低抵抗値を有するものであることを特徴とする請求項１に記載の遮断式高温多層型抵抗器。
【請求項３】
前記複数の被膜がニッケル製の内層に位置する被膜と、該内層の被膜の外側を被包するスズ製の外層の被膜とからなるものであることを特徴とする請求項２に記載の遮断式高温多層型抵抗器。
【請求項４】
前記複数の被膜が交互にセラミック棒の周壁に周設されることを特徴とする請求項１に記載の遮断式高温多層型抵抗器。
【考案の詳細な説明】
【技術分野】
【０００１】
本考案は、特に高温を感知し、接続する電子部材が過熱により破損する前に自動的に電気回路を遮断することにより、前記電子部材を保護する遮断式高温多層型抵抗器に関するものである。
【背景技術】
【０００２】
電子機器の内部にある回路板には、コンデンサや抵抗器などの電子部材が設けられ、長時間に亘って電子機器に電流を流すと、高温が生じて回路板のコンデンサや抵抗器などの電子部材が爆発して破損する恐れがある。また、この爆発により回路板に設けられた他の電子部材にまで被害が及ぶ恐れがある。
【考案の開示】
【考案が解決しようとする課題】
【０００３】
しかしながら、現在まで前記電子部材の過熱を防止するための理想的な手段はなかった。
【０００４】
そこで、案出されたのが本考案であって、接続されている近接のコンデンサや抵抗器などの電子部材が所定の温度まで上昇した時、ほぼ絶縁状態として、隣接する電子部材に流れている電流を遮断することにより、持続的な温度上昇による電子部材の損壊を防止する遮断式高温多層型抵抗器を提供することを目的としている。
【課題を解決するための手段】
【０００５】
本願の請求項１の考案は、セラミック棒と、
前記セラミック棒の両端に設けられる２つの金属製キャップと、
前記セラミック棒の外周壁における、前記２つのキャップの間に設けられると共に、夫々異なる融点および抵抗値を有する複数の金属製の被膜とを有することを特徴とする遮断式高温多層型抵抗器、を提供する。
【０００６】
本願の請求項２の考案は、前記複数の被膜が同心円状を呈し、該外層に位置する被膜が内層に位置する被膜を被包すると共に、該外層に位置する被膜が内層に位置する被膜より低融点および低抵抗値を有するものであることを特徴とする請求項１に記載の遮断式高温多層型抵抗器、を提供する。
【０００７】
本願の請求項３の考案は、前記複数の被膜がニッケル製の内層に位置する被膜と、該内層の被膜の外側を被包するスズ製である外層の被膜とからなるものであることを特徴とする請求項２に記載の遮断式高温多層型抵抗器、を提供する。
【０００８】
本願の請求項４の考案は、前記複数の被膜が交互にセラミック棒の周壁に周設されることを特徴とする請求項１に記載の遮断式高温多層型抵抗器、を提供する。
【考案の効果】
【０００９】
本考案は上記の課題を解決するものであり、前記手段によれば、平常時は、接続される隣接の電子部材と通電状態であるが、前記電子部材と遮断式高温多層型抵抗器の温度が所定の温度以上に上昇すると、低融点および低抵抗値である外層の被膜が溶融することにより分断されて、遮断式高温多層型抵抗器の抵抗値が大幅に高まり、前記電子部材に流れている電流が遮断される。故に、この構成によれば、持続的な温度上昇による電子部材の損壊を防止できるので、本考案の遮断式高温多層型抵抗器は、極めて優れた安全性を有するものと言える。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る遮断式高温多層型抵抗器の使用状態を示す側面断面図であり、図２は本考案に係る遮断式高温多層型抵抗器の部分側面拡大断面図であり、図３は遮断式高温多層型抵抗器における低融点である外層の被膜が溶融し、液体状になった状態を示す部分側面拡大断面図であり、図４は本考案に係る遮断式高温多層型抵抗器の他の実施例の平面断面図である。
【００１２】
図２に示すように、本考案に係る遮断式高温多層型抵抗器（４０）の第１実施例は、セラミック棒（４５）と、該セラミック棒（４５）の両端に設けられる金属製の２つのキャップ（４３）と、複数の被膜（４１）（４２）とを有するものである。
【００１３】
前記被膜（４１）（４２）は、セラミック棒（４５）の両端外周壁における２つのキャップ（４３）の間に設けられ、より詳しく説明すると、同心円状を呈するように、外層に位置する被膜（４２）が内層に位置する被膜（４１）を被包されるものである。また、それら被膜（４１）（４２）は夫々、異なる金属、金属化合物または金属混合物からなると共に、該外層に位置する被膜（４２）は、内層に位置する被膜（４１）より低融点および低抵抗値を有するものである。
【００１４】
また、前記内層の被膜（４１）は、摂氏１４５０度の融点および５００オーム以上の抵抗値を有するニッケル製のものが、外層の被膜（４２）は、摂氏２３２度の融点および５オーム以上の抵抗値を有するスズ製のものであることが好ましく、この構成によれば、前記遮断式高温多層型抵抗器（４０）が正常稼働温度に置かれている時は、該被膜（４２）は低抵抗値であるので、電流は順調に遮断式高温多層型抵抗器（４０）を流れることができる。この時、該遮断式高温多層型抵抗器（４０）は、通電のためのものであり、図１に示すような前記高温自動遮断式複膜型抵抗器（４０）と接続されている電子部材（３０）の抵抗値を変化させるものではない。
【００１５】
更に、図１に示すように、本考案の実施例においては、遮断式高温多層型抵抗器（４０）が電子部材（３０）に接続され、防爆ケース（１０）および防爆材（符号なし）と共にモジュールを構成している。また、前記防爆ケース（１０）は、方形で中空状を呈すると共に、絶縁性を有する強固なセラミック材料からなるものであり、その内部に収容室（符号なし）が形成されると共に、一側に２つのリード孔（符号なし）が穿設される。この構成によれば、前記防爆ケース（１０）により、抵抗器の爆発による破片の収容室外への飛散を防止することができるので、周辺の電子部材が破損する恐れはない。
【００１６】
前記防爆ケース（１０）の収容室に設けられる電子部材（３０）は、例えば抵抗器やコンデンサであり、該電子部材（３０）の両端に夫々、防爆ケース（１０）のリード孔から外部へ延出する１本のリード（３１）が設けられ、該リード（３１）は、例えば、半田付けにより回路板に接続してもよく、他の接続方法を用いてもよい。前記遮断式高温多層型抵抗器（４０）は、前記２本のリード（３１）の内の何れか１本のリード（３１）に設置され、前記１本のリード（３１）の一部を取替えることから、そのリード（３１）を２つの部分に分断させるようにすると共に、前記２つの部分の間に前記２つの部分を連結する。
【００１７】
また、前記防爆材は、例えばセメントなどの絶縁材料からなり、前記電子部材（３０）および遮断式高温多層型抵抗器（４０）を、防爆ケース（１０）の収容室に設置した後、該防爆材を充填して、該電子部材（３０）および遮断式高温多層型抵抗器（４０）を固定することにより、該電子部材（３０）の爆発による破片の飛散を防止するものである。
【００１８】
図１及び図３に示すように、前記電子部材（３０）および遮断式高温多層型抵抗器（４０）の温度が上昇し、該電子部材（３０）が爆発する恐れのある時には、該遮断式高温多層型抵抗器（４０）における外層の被膜（４２）が溶融して流体となり、該流体となったスズが分子間力の作用により、夫々前記キャップ（４３）に引き戻されるように互いに分離した２つの金属流体（４２ａ）となって、前記遮断式高温多層型抵抗器（４０）における内層の被膜（４１）が通電の役目を果たそうとするが、該内層の被膜（４１）の抵抗値が高いため、該遮断式高温多層型抵抗器（４０）がほぼ絶縁状態となり、前記電子部材（３０）において電流が遮断された状態となる。故に、上記の構成を用いれば、前記電子部材（３０）の爆発による、周囲に位置する他の電子部材の破損を防止することができる。
【００１９】
また、遮断式高温多層型抵抗器（４０）の接続関係及び作動原理は、以下の通りである。
【００２０】
１．夫々異なる金属からなる被膜（４１）（４２）を備える遮断式高温多層型抵抗器（４０）を電子部材（３０）に接続させて、該電子部材（３０）を、遮断式高温多層型抵抗器（４０）と同一温度にする。尚、該被膜（４２）は、低融点および低抵抗値であることから通電に寄与するが、他方の被膜（４１）は、該被膜（４２）より高融点および高抵抗値であるので、通電に寄与しない。
【００２１】
２．そして、前記電子部材（３０）および遮断式高温多層型抵抗器（４０）が所定の温度を超えると、前記低融点および低抵抗値の被膜（４２）が溶融し分断され、残された被膜（４１）は、高融点および高抵抗値であることから通電に寄与しないので、電子部材（３０）に流されていた電流が遮断される。
【００２２】
図４に示すように、本考案に係る遮断式高温多層型抵抗器（４０）の第２実施例は、前記第１実施例とほぼ同様のものであるが、被膜（４１）（４２）が交互にセラミック棒（４５）の周壁に周設される点において異なるものである。
【００２３】
上述したように、前記遮断式高温多層型抵抗器（４０）は、平常時に通電状態とするが、前記電子部材（３０）および遮断式高温多層型抵抗器（４０）が異常な温度にまで上昇すると、低融点および低抵抗値である被膜（４２）が溶融することにより分断されて、該遮断式高温多層型抵抗器（４０）の抵抗値が大幅に高まり、前記電子部材（３０）に流れている電流が遮断される。故に、この構成によれば、持続的な温度上昇による電子部材の損壊を防止することができる。
【産業上の利用可能性】
【００２４】
本考案は上記の構成を有するので、遮断式高温多層型抵抗器と接続される近隣のコンデンサや抵抗器など電子部材が所定の温度まで上昇した時、該遮断式高温多層型抵抗器をほぼ絶縁状態として、隣接する電子部材に流れている電流を遮断することにより、持続的な温度上昇による電子部材の損壊を防止することができる。
【図面の簡単な説明】
【００２５】
【図１】本考案に係る遮断式高温多層型抵抗器の使用状態を示す部分側面断面図である。
【図２】本考案に係る遮断式高温多層型抵抗器の部分側面拡大断面図である。
【図３】本考案に係る遮断式高温多層型抵抗器における、低融点である外層の被膜が溶融し、液体状になった状態を示す部分側面拡大断面図である。
【図４】本考案に係る遮断式高温多層型抵抗器の他の実施例の平面断面図である。
【符号の説明】
【００２６】
１０      防爆ケース
３０      電子部材
３１      リード線
４０      遮断式高温多層型抵抗器
４１      被膜
４２      被膜
４２ａ    金属流体
４３      キャップ
４５      セラミック棒
【図１】
0003141883.tif 000003
【図２】
0003141883.tif 000004
【図３】
0003141883.tif 000005
【図４】
0003141883.tif 000006